(57)【特許請求の範囲】
【請求項１】
２本の電池を横に２列に並べて平行に収納すると共に、電池（１９）を出し入れする楕円形の開口筒部（７）を有する電池ケース（２）と、この電池ケース（２）の開口筒部（７）に脱着自在に連結される楕円形の挿入筒（４）を有し、かつ、この挿入筒（４）の底面には、挿入筒（４）を電池ケース（２）の開口筒部（７）に挿入して連結する状態で、電池ケース（２）に収納された電池（１９）の電極に接触される電極端子（８）を有するカミソリ本体（１）とを備える電気かみそりにおいて、下記の全ての構成を有することを特徴とする電気かみそり。
（ａ）  カミソリ本体（１）は、挿入筒（４）の側面にストッパ凸部（３）を備える。
（ｂ）  ストッパ凸部（３）は、挿入筒（４）の側面であって楕円の長径とほぼ平行な面に、その中央から横に偏在して配設されている。
（ｃ）  電池ケース（２）は、内側ケース（２Ａ）と、この内側ケース（２Ａ）が挿入して固定されている外側ケース（２Ｂ）とを有する。
（ｄ）  内側ケース（２Ａ）の開口筒部（７）は、カミソリ本体（１）の挿入筒（４）を挿入する状態で、カミソリ本体（１）を電池ケース（２）に対して多少回転でき、かつ、ストッパ凸部（３）を引き抜きできる、挿入筒（４）の外形よりも大きく形成された回転空隙（９）を設けている。
（ｅ）  内側ケース（２Ａ）の開口筒部（７）は、カミソリ本体（１）を電池ケース（２）の正常な位置に連結する状態で、挿入筒（４）のストッパ凸部（３）を案内するストッパ凹部（１０）を有する弾性係止片（１１）を備える。
（ｆ）  内側ケース（２Ａ）の弾性係止片（１１）を設けた部分は、外側ケース（２Ｂ）との間に隙間が設けられている。
（ｇ）  カミソリ本体（１）の挿入筒（４）を、電池ケース（２）の開口筒部（７）に挿入してカミソリ本体（１）を回転させると、弾性係止片（１１）が弾性変形してストッパ凸部（３）がストッパ凹部（１０）に案内されて、カミソリ本体（１）と電池ケース（２）とが定位置に連結され、カミソリ本体（１）を逆に回転させると、弾性係止片（１１）が弾性変形してストッパ凸部（３）がストッパ凹部（１０）から出て、ストッパ凸部（３）を、開口筒部（７）の内面を通過させて、挿入筒（４）を開口筒部（７）から引き抜きできるように構成されてなる。
【請求項２】
内側ケース（２Ａ）がプラスチック製で、外側ケース（２Ｂ）が薄肉の金属筒である請求項１に記載される電気かみそり。
【請求項３】
弾性係止片（１１）の周縁にスリット（１２）を有する請求項１に記載される電気かみそり。
【発明の詳細な説明】
【０００１】
【発明の属する技術分野】
本発明は、電池を脱着自在に電池ケースに入れて、この電池ケースをカミソリ本体に脱着自在に連結してなる電気かみそりに関する。
【０００２】
【従来の技術】
電池を交換できる電池ケースを有する電気かみそりは、放電した電池を交換できるので、電池の充電状態を気にしないで便利に使用できる。とくに、電池ケースとカミソリ本体とを別々に分離できるタイプは、電池ケースをカミソリ本体から分離して電池を交換できるので、簡単に電池を交換できる特長がある。
【０００３】
この構造の電気かみそりは、電池を収納する電池ケースを、脱着できるようにカミソリ本体に連結している。電池ケースがカミソリ本体に連結されて、電池からカミソリ本体に電力が供給される。このため、電池ケースをカミソリ本体に連結すると、電池ケースに収納している電池の電極は、カミソリ本体の電極端子に電気的に接続される。このとき、電池の電極とカミソリ本体の電極端子との接触不良を防止するために、電池は弾性的にカミソリ本体の電極端子に押圧される。電極端子が電池に押圧される反作用は、電池ケースをカミソリ本体から引き離す方向に作用する。このため、電池ケースとカミソリ本体を、簡単に外れないように連結する必要がある。
【０００４】
カミソリ本体を電池ケースに外れないように連結するために、従来の電気かみそりは、図１の断面図に示すように、カミソリ本体１に設けた挿入筒４にストッパ凸部３を設けている。ストッパ凸部３は、電池ケース２のストッパ孔５に入れられて、カミソリ本体１が電池ケース２から抜けるのを防止する。この構造の電気かみそりは、電池ケース２のストッパ孔５に設けた解除ツマミ６を押して、カミソリ本体１を電池ケース２から外すことができる。解除ツマミ６が、ストッパ凸部３をストッパ孔５から押し出すからである。
【０００５】
【発明が解決しようとする課題】
図１に示すように、カミソリ本体１のストッパ凸部３を、電池ケース２のストッパ孔５に入れて連結する電気かみそりは、電気かみそりの表面に解除ツマミ６を設ける必要がある。このため、電気かみそりの表面をすっきりとした美しいデザインに設計するのが難しい。さらに、解除ツマミ６を押した状態で、カミソリ本体１を電池ケース２から引き抜く必要があるので、簡単にカミソリ本体１を電池ケース２から引き抜きできない欠点がある。さらにまた、ストッパ凸部３を弾性的に出入りできる構造とするために、ストッパ凸部３を設ける部分を厚くする必要があって、この部分をコンパクトに設計するのが難しい欠点がある。
【０００６】
本発明は、このような欠点を解消することを目的に開発されたもので、電池ケースの表面をすっきりと美しいデザインにできると共に、カミソリ本体を簡単かつ容易に電池ケースに脱着できる電気かみそりを提供することにある。
また、本発明の他の大切な目的は、カミソリ本体を電池ケースに確実に連結でき、しかも、ストッパ凸部を設ける部分を簡単な構造にできる電気かみそりを提供することにある。
さらにまた、他の大切な目的は、電池ケースを薄くして強靱な構造にできる電気かみそりを提供することにある。
【０００７】
【課題を解決するための手段】
本発明の電気かみそりは、電池ケース２とカミソリ本体１とを備える。電池ケース２は、２本の電池１９を横に２列に並べて平行に収納すると共に、電池１９を出し入れする楕円形の開口筒部７を有する。カミソリ本体１は、電池ケース２の開口筒部７に脱着自在に連結される楕円形の挿入筒４を有する。挿入筒４の底面には、挿入筒４を電池ケース２の開口筒部７に挿入して連結する状態で、電池ケース２に収納された電池の電極に接触される電極端子８を有する。
【０００８】
さらに、本発明の請求項１の電気かみそりは、下記の独特の構成を有する。
（ａ）  カミソリ本体１は、挿入筒４の側面にストッパ凸部３を備える。
（ｂ）  ストッパ凸部３は、挿入筒４の側面であって楕円の長径とほぼ平行な面に、その中央から横に偏在して配設されている。
（ｃ）  電池ケース２は、内側ケース２Ａと、この内側ケース２Ａが挿入して固定されている外側ケース２Ｂとを有する。
（ｄ）  内側ケース２Ａの開口筒部７は、カミソリ本体１の挿入筒４を挿入する状態で、カミソリ本体１を電池ケース２に対して多少回転でき、かつ、ストッパ凸部３を引き抜きできる、挿入筒４の外形よりも大きく形成された回転空隙９を設けている。
（ｅ）  内側ケース２Ａの開口筒部７は、カミソリ本体１を電池ケース２の正常な位置に連結する状態で、挿入筒４のストッパ凸部３を案内するストッパ凹部１０を有する弾性係止片１１を備える。
（ｆ）  内側ケース２Ａの弾性係止片１１を設けた部分は、外側ケース２Ｂとの間に隙間が設けられている。
（ｇ）  カミソリ本体１の挿入筒４を、電池ケース２の開口筒部７に挿入してカミソリ本体１を回転させると、弾性係止片１１が弾性変形してストッパ凸部３がストッパ凹部１０に案内されて、カミソリ本体１と電池ケース２とが定位置に連結され、カミソリ本体１を逆に回転させると、弾性係止片１１が弾性変形してストッパ凸部３がストッパ凹部１０から出て、ストッパ凸部３を、開口筒部７の内面を通過させて、挿入筒４を開口筒部７から引き抜きできるように構成されてなる。
【０００９】
本発明の請求項２の電気かみそりは、内側ケース２Ａをプラスチック製とし、外側ケース２Ｂを薄肉の金属筒としている。
【００１０】
さらに、本発明の請求項３の電気かみそりは、弾性係止片１１の周縁にスリット１２を設けて、弾性係止片１１を弾性変形しやすい形状としている。
【００１１】
【発明の実施の形態】
以下、本発明の実施例を図面に基づいて説明する。ただし、以下に示す実施例は、本発明の技術思想を具体化するための電気かみそりを例示するものであって、本発明は電気機器を下記のものに特定しない。
【００１２】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
図２ないし図４に示す電気かみそりはレディーシェバーで、カミソリ本体１と電池ケース２とを備えている。図に示すカミソリ本体１は、ヒータ１３でむだ毛を焼き切る体毛処理具である。ただ、本発明の電気かみそりは、カミソリ本体をこの構造に特定しない。カミソリ本体は、毛を切ることのできる全てのものを使用できる。図５に示すカミソリ本体１は、外刃と内刃で毛をカットするものである。このカミソリ本体１は、薄い金属刃をアーチ状に湾曲した外刃の内側で内刃を往復運動させる。さらにまた、本発明の電気かみそりは、ヒータ１３で毛を焼き切るカミソリ本体１と、外刃と内刃で毛を切断するカミソリ本体１の両方を交換して使用する構造とすることもできる。この電気かみそりは、ヒータ１３でむだ毛を焼き切り、さらに、カミソリ本体を交換して、内刃と外刃で毛を短くカットして便利に使用できる。
【００１４】
図２から図４に示すカミソリ本体１は、両側に櫛１４を有し、この櫛１４の間に脱着自在にヒーターカセット１８を装着している。このカミソリ本体１は、ヒーターカセット１８のヒータ１３で、櫛１４の間に案内される毛を焼き切って切断する。ヒータ１３はカミソリ本体１に内蔵されるスイッチを介して、カミソリ本体１の下端に設けられた±の電極端子８に接続される。この図のカミソリ本体１は、電池ケース２に装着して、電極端子８を電池の±の電極に接続する状態で、スイッチをオンにするとヒータ１３が加熱されて、櫛の間の毛を焼き切ることができる。
【００１５】
図５に示すカミソリ本体１は、電池ケース２に装着した状態で、スイッチをオンにすると、内刃が往復運動されて毛をカットできる。このカミソリ本体１も、電池ケース２に装着されると、挿入筒４の底面に設けている電極端子８を電池の±の電極に接触させる。このため、スイッチがオンになると、内蔵するモーターが回転され、モーターが内刃を往復運動させる。
【００１６】
カミソリ本体１は、図６に示すように、電池ケース２の開口筒部７に脱着自在に連結するために楕円形の挿入筒４を底部に有する。ところで、本明細書において「楕円」は、数学的な関数で正確に特定される楕円のみでなく、たとえば、２つの円を横に並べて共通する平行な接線で連結する形状、さらにこの形状に近似する形状も含む、広い意味に解釈するものとする。それは、挿入筒４と電池ケース２を楕円にする理由が、２本の電池を横に並べて電池ケース２に収納し、この電池ケース２にカミソリ本体１の挿入筒４を入れて連結して外形を小さくするからである。
【００１７】
挿入筒４の底面には、挿入筒４を電池ケース２の開口筒部７に挿入して連結する状態で、電池ケース２に収納された電池の電極に接触される電極端子８を固定している。挿入筒４は、カミソリ本体１を電池ケース２に抜けないように装着するために、その側面にストッパ凸部３を設けている。ストッパ凸部３は、図６に示すように、挿入筒４の側面であって、楕円の長径とほぼ平行な面に位置して、しかも、この面の中央から横に偏在して、図６においては、中央よりも右に偏在して挿入筒４の下端部に設けられている。ストッパ凸部３は、図６の挿入筒４の裏面にも設けることができる。裏面のストッパ凸部は、表面のストッパ凸部３と対称な位置、すなわち、図６において挿入筒４裏面の左側に偏在して設けられる。両面にストッパ凸部３を設けた挿入筒４は、カミソリ本体１をより確実に電池ケース２に装着できる。
【００１８】
さらに、図６に示すカミソリ本体１の挿入筒４は、開口筒部７に挿入する向きを決定するための挿入姿勢特定溝１５を上面にのみ設けている。挿入姿勢特定溝１５は、図７に示す電池ケース２に設けた挿入姿勢特定凸条１６を案内して、カミソリ本体１と電池ケース２との挿入位置を特定する。
【００１９】
電池ケース２は、内部に２本の円筒電池を横に並べて挿入できる楕円形の筒状に成形されて、底面を閉塞している。図７と図８に示す電池ケース２は、プラスチックで成形した内側ケース２Ａを、アルミニウム製の外側ケース２Ｂに隙間なく挿入して固定している。内側ケース２Ａと外側ケース２Ｂは、底を閉塞した楕円形の筒状に成形している。外側ケース２Ｂは薄肉のアルミニウムやステンレス等の金属筒である。プラスチック製の内側ケース２Ａは、金属ケースである外側ケース２Ｂの内側を絶縁する。内側ケース２Ａの底面には、図８に示すように、２本の電池１９を直列に接続する接続端子１７を固定している。
【００２０】
さらに、電池ケース２は、図７と図８に示すように、上端に開口筒部７を設けている。開口筒部７は、電池１９を出し入れすると共に、カミソリ本体１に設けた挿入筒４を脱着自在に入れて連結する部分である。開口筒部７は、カミソリ本体１の挿入筒４を挿入する状態で、カミソリ本体１を電池ケース２に対して多少回転できるように、挿入筒４の外形よりも大きくして、回転空隙９を設けている。図７の電池ケース２は、右上と左下の部分を挿入筒４よりも大きく開口して、回転空隙９としている。回転空隙９は、挿入筒４を開口筒部７に出し入れするときに、ストッパ凸部３が開口筒部７の内面を通過できるように、挿入筒４を多少回転させる姿勢で挿入できるように設けている。
【００２１】
さらに、開口筒部７は、挿入されたカミソリ本体１の挿入筒４部を抜けないように停止する弾性係止片１１を設けている。この弾性係止片１１は、プラスチック製の内側ケース２Ａに一体成形して設けられる。弾性係止片１１は、カミソリ本体１を電池ケース２の正常な位置に連結する状態で、挿入筒４に設けたストッパ凸部３を案内するストッパ凹部１０を備える。
【００２２】
弾性係止片１１を設けた内側ケース２Ａを、図６の斜視図と、図９の正面図に示す。これ等の図は、外側ケースを除去した内側ケース２Ａを示している。これ等の図に示す内側ケース２Ａは、弾性係止片１１の右側と下側にスリット１２を設けている。スリット１２は、弾性係止片１１の周縁であって、ストッパ凸部３の通過する部分、図において右側周縁と、上側と下側の周縁の一方または両方に設けられる。周縁がスリット１２で分離された弾性係止片１１は、弾性変形しやすいので、ストッパ凸部３をストッパ凹部１０に入れるときに、無理なく弾性変形できる。さらに、弾性係止片１１は、内側ケース２Ａの外側表面を切除して、他の部分よりも薄く成形している。薄い弾性係止片１１は、外側ケース２Ｂに入れた状態で、外側ケース２Ｂの内面との間に隙間ができる。ここに隙間があるので、弾性係止片１１は、無理なく外側に弾性変形される。
【００２３】
以上の構造のカミソリ本体１は、下記のようにして、電池ケース２に脱着する。
［カミソリ本体を電池ケースに装着するとき］
▲１▼  カミソリ本体１の挿入筒４を電池ケース２の開口筒部７に入れる。このとき、挿入筒４の一部を回転空隙９に案内して、ストッパ凸部３を、開口筒部７の内面を通過させる。
▲２▼  カミソリ本体１を回転させて、ストッパ凸部３をストッパ凹部１０に案内する。このとき、弾性係止片１１が弾性変形して、ストッパ凸部３をストッパ凹部１０に入れる。
【００２４】
［カミソリ本体を電池ケースから外すとき］
▲１▼  カミソリ本体１を回転させて、ストッパ凸部３をストッパ凹部１０から抜き出す。このときも、弾性係止片１１が弾性変形して、ストッパ凸部３をストッパ凹部１０から抜き出す。
▲２▼  カミソリ本体１の挿入筒４を電池ケース２の開口筒部７から引き抜く。ストッパ凹部１０から出たストッパ凸部３は、開口筒部７の内面を通過して、外部に引き出される。
【００２５】
【発明の効果】
本発明の電気かみそりは、電池ケースの表面をすっきりと美しいデザインにできると共に、カミソリ本体を簡単かつ容易に、しかも確実に電池ケースに脱着できる特長がある。それは本発明の電気かみそりが、電池ケースを内側ケースと外側ケースの二重構造にすると共に、カミソリ本体の挿入筒に設けたストッパ凸部を引っかけて係止する弾性係止片を内側ケースに設け、さらに、この弾性係止片と外側ケースとの間には隙間を設けて、弾性係止片を弾性変形しやすい状態とし、カミソリ本体を回転してストッパ凸部をストッパ凹部に入れて抜けないように連結するからである。この構造で、電池ケースに脱着自在に連結されるカミソリ本体は、挿入して少し回転させると、抜けないように確実に連結される。とくに、本発明の電池ケースは、内側ケースに設けた弾性係止片を弾性変形させて、カミソリ本体を電池ケースに脱着できるように連結するので、外側ケースの表面にカミソリ本体を脱着させるツマミ等を設ける必要がなく、しかも、外側ケースをたとえば金属製のケースとして美しい意匠にできる特長がある。
【００２６】
さらに、本発明の電気かみそりは、二重構造の電池ケースの内側ケースに弾性係止片を設け、この弾性係止片を弾性変形させて、カミソリ本体を脱着できるように連結するので、挿入筒にストッパ凸部を固定して設けることができる。このため、ストッパ凸部を設ける構造を極めて簡単にできる。
【００２７】
さらにまた、本発明の電気かみそりは、電池ケースを内側ケースと外側ケースの二重構造とするので、電池ケースを薄くしてしかも、強靱な構造にできる特長もある。さらに、内側ケースをプラスチック製として、外側ケースをアルミニウム等の金属ケースとして、より強靱で美しい外観にできる。
【図面の簡単な説明】
【図１】従来の電池ケースのカミソリ本体を電池ケースに連結する部分の断面図
【図２】本発明の実施例の電気かみそりを示す正面図
【図３】図２に示す電気かみそりの側面図
【図４】図２に示す電気かみそりの平面図
【図５】本発明の他の実施例の電気かみそりを示す正面図
【図６】図２に示す電気かみそりのカミソリ本体と内側ケースを連結する状態を示す斜視図
【図７】図２に示す電気かみそりの電池ケースの平面図
【図８】図２に示す電気かみそりの電池ケースの断面図
【図９】図２に示す電気かみそりの電池ケースの内側ケースを示す正面図
【符号の説明】
１…カミソリ本体
２…電池ケース      ２Ａ…内側ケース    ２Ｂ…外側ケース
３…ストッパ凸部
４…挿入筒
５…ストッパ孔
６…解除ツマミ
７…開口筒部
８…電極端子
９…回転空隙
１０…ストッパ凹部
１１…弾性係止片
１２…スリット
１３…ヒータ
１４…櫛
１５…挿入姿勢特定溝
１６…挿入姿勢特定凸条
１７…接続端子
１８…ヒーターカセット
１９…電池
【図１】
0003557069.tif 000002
【図２】
0003557069.tif 000003
【図３】
0003557069.tif 000004
【図４】
0003557069.tif 000005
【図５】
0003557069.tif 000006
【図６】
0003557069.tif 000007
【図７】
0003557069.tif 000008
【図８】
0003557069.tif 000009
【図９】
0003557069.tif 000010